(57)【要約】【課題】一般に洗面所やトイレ等に使用される手乾燥装置は、手挿入の時に手が噴出ノズルや処理空間に触れ、清潔感を損なう恐れがあり、かつ高速噴流によって吹き飛ばした水滴が周囲に飛散するという課題があり、またメンテナンスをする際に清掃部品などを着脱する際にしゃがむ必要があるという課題がある。【解決手段】本発明の手乾燥装置は、処理空間４に挿入された濡れた手に対して噴流ノズル２により生成される作動気流を吹き当てて、作動気流の運動エネルギ−により手に付着した水分を除去するように構成した手乾燥装置であって、処理空間４を常に清潔な状態にするようにしたものである。【選択図】図２
2006187396.tif 000002
【特許請求の範囲】
【請求項１】
処理空間に挿入された濡れた手に対して噴流ノズルにより生成される作動気流を吹き当てて、作動気流の運動エネルギ−により手に付着した水分を除去するように構成した手乾燥装置であって、処理空間を常に清潔な状態にするようにしたことを特徴とする手乾燥装置。
【請求項２】
処理空間の壁面についた水滴を除去する水滴除去手段を備えたことを特徴とする請求項１記載の手乾燥装置。
【請求項３】
処理空間の壁面についた水滴を送風により除去する送風水滴除去手段を備えたことを特徴とする請求項１および請求項２記載の手乾燥装置。
【請求項４】
処理空間に壁面の水滴を除去する壁面乾燥吹出口を設けたことを特徴とする請求項１から３記載の手乾燥装置。
【請求項５】
理空間の端部に壁面乾燥吹出口を設けたことを特徴とする請求項１から４記載の手乾燥装置。
【請求項６】
壁面乾燥吹出口からでる噴流は壁面にぶつかる方向に噴出されることを特徴とする請求項１から５記載の手乾燥装置。
【請求項７】
処理空間の壁面を加熱して、水滴を蒸発させることを特徴とする請求項１から６記載の手乾燥装置。
【請求項８】
処理空間の壁面に凹凸をつけることを特徴とする請求項１から７記載の手乾燥装置。
【請求項９】
処理空間の壁面を吸水性素材とすることを特徴とする請求項１から８記載の手乾燥装置。
【請求項１０】
吸水性素材は本体より分離可能とすることを特徴とする請求項９記載の手乾燥装置。
【請求項１１】
処理空間の壁面に除菌材を吹き付けることを特徴とする請求項１から１０記載の手乾燥装置。
【請求項１２】
手を挿入していないときに処理空間の壁面に除菌材を吹き付ける構成としたことを特徴とする請求項１から１１記載の手乾燥装置。
【請求項１３】
処理空間の壁面に紫外線を当て、使用者方向に直接光があたらない構成としたことを特徴とする請求項１から１２記載の手乾燥装置。
【発明の詳細な説明】
【技術分野】
【０００１】
本発明は、洗面所やトイレ等で手を洗い、濡れた手を乾燥させる手乾燥装置に関するものである。
【背景技術】
【０００２】
従来、この種の手乾燥装置は、高速風により乾燥する方式としたものが知られている（例えば、特許文献１〜３参照）。以下、その手乾燥装置について図７〜１２を参照しながら説明する。図７及び図８に示すように、壁面に固定された本体１０１は、下部に高速噴流を噴き出す噴出ノズル１０２と前記噴出ノズル１０２から高速噴流を噴き出す方向に設置された水滴回収手段である１０３を付属している。前記噴出ノズル１０２と前記水受け１０３の間に手を挿入して乾燥させるための処理空間１０４が形成される。本体１０１内には送風手段１０５、発熱手段１０６および制御手段１０７が設けられている。処理空間１０４の中に挿入された手を検知して送風手段１０５および発熱手段１０６に通電するための検知手段１０８を本体１０１の一部に付属している。
【０００３】
上記構成において濡れた手を処理空間１０４に挿入すると、検知手段１０８により手の存在を検知して、送風手段１０５および発熱手段１０６を動作させる。これにより本体下部に設置された吸込口１０９から外部空気を吸込み、送風手段１０５と発熱手段１０６を経由して温風が形成されて噴出ノズル１０２より送風される。このとき差し出した手に温風が当たり、手を乾燥させる。手を引っ込めると検知手段１０８の検出がなくなるので、送風手段１０５および発熱手段１０６は停止する。このような運転の作業を制御手段１０７にて実施する。
【０００４】
手から離れた水滴は水受け１０３に集められるが、噴出ノズル１０２の送風により飛散しやすくなるため、水受け１０３の前部および側部の突出壁１１０を付属して周囲への飛散を防止する構成になっている。また水受けにて回収した水滴は、水受けにあるドレン穴１１１を通過して、ドレンタンク１１２に一定の量を溜められる。ドレンタンク１１２は定期的にメンテナンスされ回収された水滴を廃棄するようになっている。
【０００５】
また、図９及び図１０に示すように、水滴回収手段を付属しないものもある。壁面に固定された本体２０１は、下部に高速噴流を噴き出す噴出ノズル２０２を付属している。前記噴出ノズル２０２の下方に手を挿入して乾燥させるための処理空間２０４が本体下方の自由空間に形成される。本体２０１内には送風手段２０５、発熱手段２０６および制御手段２０７が設けられている。処理空間２０４の中に挿入された手を検知して送風手段２０５および発熱手段２０６に通電するための検知手段２０８を本体２０１の一部に付属している。
【０００６】
上記構成において濡れた手を処理空間２０４に挿入すると、検知手段２０８により手の存在を検知して、送風手段２０５および発熱手段２０６を動作させる。これにより本体下部に設置された吸込口２０９から外部空気を吸込み、送風手段２０５と発熱手段２０６を経由して温風が形成されて噴出ノズル２０２より送風される。このとき差し出した手に温風が当たり、手を乾燥させる。手を引っ込めると検知手段２０８の検出がなくなるので、送風手段２０５および発熱手段２０６は停止する。このような運転の作業を制御手段２０７にて実施する。
【０００７】
また、図１１及び図１２に示すように、壁面に固定された本体３０１は、高速噴流を噴き出す噴出ノズル３０２を対に対峙した形で付属している。前記噴出ノズル３０２の対峙した空間に手を挿入して乾燥させるための処理空間３０４が本体内部に形成される。その処理空間３０４の下方に水滴回収手段である水受け３０３を付属している。本体３０１内には送風手段３０５および制御手段３０７が設けられている。処理空間３０４の中に挿入された手を検知して送風手段３０５に通電するための検知手段３０８を本体３０１の一部に付属している。上記構成において濡れた手を処理空間３０４に挿入すると、検知手段３０８により手の存在を検知して、送風手段３０５を動作させる。これにより本体下部に設置された吸込口３０９から外部空気を吸込み、送風手段３０５を経由して風が形成されて噴出ノズル１０２より送風される。このとき差し出した手に風が当たり、手を乾燥させる。手を引っ込めると検知手段３０８の検出がなくなるので、送風手段３０５は停止する。このような運転の作業を制御手段３０７にて実施する。
【特許文献１】特開平１０−７１１０１号公報
【特許文献２】特開平７−２８９４７６号公報
【特許文献３】特開平５−２９３０５５号公報
【発明の開示】
【発明が解決しようとする課題】
【０００８】
このような従来の手乾燥装置では、手挿入の時に手が噴出ノズルや処理空間に触れ、清潔感を損なう恐れがあり、かつ高速噴流によって吹き飛ばした水滴が周囲に飛散するという課題があり、またメンテナンスをする際に清掃部品などを着脱する際にしゃがむ必要があるという課題がある。本発明は、このような従来の課題を解決するものであり、手が処理空間に触れないように、手を乾燥させる処理空間を大きくとることで、清潔感を向上させ、かつ水滴除去手段を設けることで水滴飛散を防止することができ、またメンテナンスをする際に清掃部品などが本体上部にあるため着脱が容易にできることができる手乾燥装置を提供することを目的としている。
【課題を解決するための手段】
【０００９】
本発明の手乾燥装置は、上記目標を達成するため処理空間を常に清潔な状態にするようにしたことを特徴とする。そして、本発明によれば、手が処理空間に触れないように、手を乾燥させる処理空間を大きくとることで、清潔感を向上させ、かつ水滴除去手段を設けることで水滴飛散を防止するとともにメンテナンスをする際に清掃部品などが本体上部にあるため着脱が容易にできることができる手乾燥装置が得られる。
【発明の効果】
【００１０】
本発明によれば処理空間を常に清潔な状態にするようにしたことにより手を挿入するときに処理空間の周りには何もないため、清潔感がある。また掃除をするときにも障害物が少ないためやりやすく、本体の周辺を汚さないため、清掃に余分な時間をかけなくてもよい。しかも交換部品の着脱は容易であるため、メンテナンス時間を短縮することができるという効果のある手乾燥装置を提供できる。
【発明を実施するための最良の形態】
【００１１】
本発明の請求項１記載の発明は、処理空間を常に清潔な状態にするようにしたものであり、処理空間を広く取ることで手挿入時に障害となるものがないため、自然に手を入れやすくすることができる。また水滴は水滴回収手段を持つため、水滴を壁や床面などの本体外部を汚すことがないようにできる。しかもメンテナンスをする際には水滴回収手段は大きく開口しているため清掃は容易にでき、着脱する必要のあるドレンタンクやフィルターを簡単に着脱することができるという作用を有する。
【００１２】
以下、本発明の実施の形態について図面を参照しながら説明する。
【００１３】
（実施の形態１）
図１及び図２に示すように、壁面に固定された本体１は、下部に高速噴流を噴き出す噴出ノズル２と前記噴出ノズル２から高速噴流を噴き出す方向に設置された水滴回収手段である水受け３を付属している。前記噴出ノズル２と前記水受け３の間に手を挿入して乾燥させるための処理空間４が形成される。本体１内には送風手段５、発熱手段６および制御手段７が設けられている。処理空間４の中に挿入された手を検知して送風手段５および発熱手段６に通電するための検知手段８を本体１の一部に付属している。
【００１４】
上記構成において濡れた手を処理空間４に挿入すると、検知手段８により手の存在を検知して、送風手段５および発熱手段６を動作させる。これにより本体下部に設置された吸込口９から外部空気を吸込み、送風手段５と発熱手段６を経由して温風が形成されて噴出ノズル２より送風される。このとき差し出した手に温風が当たり、手を乾燥させる。手を引っ込めると検知手段８の検出がなくなるので、送風手段５および発熱手段６は停止する。このような運転の作業を制御手段７にて実施する。
【００１５】
手から離れた水滴は水受け３に集められるが、一部付着したままになることがあり次に使用する場合には、外観上は不潔感を与える場合があるため水受け３上部に送風水滴除去手段として複数個の水滴除去ノズル１３を設置し、使用者がいないときに定期的に送風手段５が作動し、噴出ノズル２への送風経路とは別の経路を通り、水滴除去ノズル１３から高速噴流を噴き出すことにより水受け３を常に乾燥した清潔な状態にする。
【００１６】
また回収した水滴は、水受け３にあるドレン穴１１を通過して、ドレンタンク１２に一定の量を溜められる。ドレンタンク１２は定期的にメンテナンスされ回収された水滴を廃棄するようになっている。
【００１７】
なお、前記送風手段５は、一般的に掃除機などに使用される電動送風機であり、ブラシ付モータによるものおよびブラシレスモータによるものを含み、ターボファンを使用しモータの高速回転による温度上昇を冷却しながら送出するものである。
【００１８】
（実施の形態２）
図３に示すように、手から離れた水滴は水受け３に集められるが、一部付着したままになることがあり次に使用する場合には、外観上は不潔感を与える場合があるため水受け３壁面に壁面加熱手段１４を設置し、壁面加熱手段１４に通電することにより水受け３を常に乾燥した清潔な状態にする。
【００１９】
また回収した水滴は、水受けにあるドレン穴１１を通過して、ドレンタンク１２に一定の量を溜められる。ドレンタンク１２は定期的にメンテナンスされ回収された水滴を廃棄するようになっている。
【００２０】
（実施の形態３）
図４に示すように、水滴除去手段として水受け３壁面に水滴より微小な大きさの凹凸加工１５を設置することで、凹凸加工１５に付着した水滴は表面張力が壊されて流れやすくなるため、、水受け３を常に乾燥した清潔な状態にする。
【００２１】
また回収した水滴は、水受け３にあるドレン穴１１を通過して、ドレンタンク１２に一定の量を溜められる。ドレンタンク１２は定期的にメンテナンスされ回収された水滴を廃棄するようになっている。
【００２２】
（実施の形態４）
水滴除去手段の別の方法として、図５に示すように、水受け３内面の素材を吸水性素材１６とすることで、水受け３内面に付着した水滴は吸着されて水受け３内面に一定量は吸収される。使用されていないときは室内の温湿度状況により吸収された水滴を空気中に放出するため、水滴を集めて廃棄する必要がない。
【００２３】
吸水性素材１６は水受け３から分離できる構成とすれば、手垢などが付着して汚れが目立つ場合には清掃が容易にできる。
【００２４】
（実施の形態５）
図６に示すように、水受け３内面に一般に市販されているエタノールなどの除菌材噴出口１７より霧状にした除菌液を定期的に噴霧することで、水受け３内面を清潔に保つことができる。
【００２５】
使用者が使用していないことを検知手段８で判断できるため、使用していないときにのみ除菌材噴出口１７より霧状にした除菌液を噴霧するように構成されている。
【００２６】
（実施の形態６）
同じく図６に示すように、水受け３内面に紫外線ランプ１８を照射して、水受け３内面を清潔に保つことができる。
【００２７】
使用者が使用していないことを検知手段８で判断できるため、使用していないときにのみ紫外線ランプ１８を照射するように構成されている。また紫外線ランプ１８の照射光は使用者には目視できないように配置する。
【産業上の利用可能性】
【００２８】
本発明にかかる手乾燥装置は、処理空間を常に清潔な状態にするものであり、処理空間を広く取ることで手挿入時に障害となるものがないため、自然に手を入れやすくすることができる。また水滴は水滴除去手段を持つため、水滴を壁や床面などの本体外部を汚すことがないようにできる。しかもメンテナンスをする際には水滴除去手段は大きく開口しているため清掃は容易にでき、着脱する必要のあるドレンタンクやフィルターを簡単に着脱することができるという効果がある。
【００２９】
よって、洗面所やトイレ等で手を洗い、濡れた手を乾燥させる装置等に有効であり、また、一般的に液体によって濡れたものを乾燥させる用途としても適用できる。
【図面の簡単な説明】
【００３０】
【図１】本発明の実施の形態１の構造を示す縦断面図
【図２】同実施の形態１の構造を示す斜視図
【図３】本発明の実施の形態２の構造を示す斜視図
【図４】本発明の実施の形態３の構造を示す斜視図
【図５】本発明の実施の形態４の構造を示す縦断面図
【図６】本発明の実施の形態５及び６の構造を示す斜視図
【図７】従来の手乾燥装置の一例を示す縦断面図
【図８】同斜視図
【図９】従来の手乾燥装置の別の一例を示す縦断面図
【図１０】同斜視図
【図１１】従来の手乾燥装置の別の一例を示す斜視図
【図１２】同縦断面図
【符号の説明】
【００３１】
１    本体
２    噴出ノズル
３    水受け
４    処理空間
５    送風手段
６    発熱手段
７    制御手段
８    検知手段
９    吸込口
１１  ドレン穴
１２  ドレンタンク
１３  水滴除去ノズル
１４  壁面加熱手段
１５  凹凸加工
１６  吸水性素材
１７  除菌材噴出口
１８  紫外線ランプ
【図１】
2006187396.tif 000003
【図２】
2006187396.tif 000004
【図３】
2006187396.tif 000005
【図４】
2006187396.tif 000006
【図５】
2006187396.tif 000007
【図６】
2006187396.tif 000008
【図７】
2006187396.tif 000009
【図８】
2006187396.tif 000010
【図９】
2006187396.tif 000011
【図１０】
2006187396.tif 000012
【図１１】
2006187396.tif 000013
【図１２】
2006187396.tif 000014